(57)【要約】【課題】  大型の表示装置を採用したとしても、遊技盤の裏面側における配線収納スペースに余裕を持たせることができ当該表示装置の周縁のコネクタ接続の作業性を低下させることがない遊技機を提供する。【解決手段】  図柄変動ゲームを演出表示するための表示面域を表面とする図柄表示装置２１と、その裏面側に対向するように重ねて配設され、コネクタ３１１２が縁部に配設されると共に、図柄表示装置２１に電気的接続をしてその制御を行う表示制御基板３１１１とが、保護ケース３１１０内に収容されてなる表示ユニット３１１を有する遊技機１０であって、保護ケース３１１０は、上下方向に幅の異なる図柄表示装置２１及び表示制御基板３１１１が重ねあわされた外縁に沿って溝部（配線収納スペースＳ３）が形成された形状をなす。【選択図】      図４
2006192162.tif 000002
【特許請求の範囲】
【請求項１】
遊技機に画成された遊技領域内にて図柄変動ゲームを演出表示するための表示面域を表面とする図柄表示装置と、係る図柄表示装置の裏面側に前記図柄表示装置と対向するように重ねて配設され、電源電圧又はコマンドを外部入力するために配線接続されるコネクタが縁部に配設されると共に、前記図柄表示装置に電気的接続をしてその制御を行う表示制御基板とが、保護ケース内に収容されてなる表示ユニットを有し、係る表示ユニットの着脱及び前記コネクタに対する配線接続を前記遊技盤の裏面側から行うように構成された遊技機であって、
前記保護ケースは、前記図柄表示装置の一部と前記表示制御基板とが対向するように重ねて配設された第１の領域と、前記図柄表示装置の他の一部が収納される第２の領域とからなり、
前記第１の領域における保護ケースの奥行方向の幅を、前記第２の領域における保護ケースの奥行方向の幅に比べて大となして、前記第１の領域の縁部に配設されたコネクタに接続される配線の収納スペースを前記第２の領域における保護ケースに形成したことを特徴とする遊技機。
【請求項２】
遊技機に画成された遊技領域内にて図柄変動ゲームを演出表示するための表示面域を表面とする図柄表示装置と、係る図柄表示装置の裏面側に前記図柄表示装置と対向するように重ねて配設され、電源電圧又はコマンドを外部入力するために配線接続されるコネクタが縁部に配設されると共に、前記図柄表示装置に電気的接続をしてその制御を行う表示制御基板とが、保護ケース内に収容されてなる表示ユニットを有し、係る表示ユニットの着脱及び前記コネクタに対する配線接続を前記遊技盤の裏面側から行うように構成された遊技機であって、
前記保護ケースは、前記図柄表示装置の一部を保護する図柄表示装置保護領域と、表示制御基板を保護し、前記図柄表示装置保護領域よりも高さ方向の幅が小さい表示制御基板保護領域とからなり、前記図柄表示装置保護領域及び前記表示制御基板保護領域の高さ方向の幅の差によって形成された領域を、前記表示制御基板保護領域の縁部に配設されたコネクタに接続される配線の収納スペースとしたことを特徴とする遊技機。
【請求項３】
遊技機に画成された遊技領域内にて図柄変動ゲームを演出表示するための表示面域を表面とする図柄表示装置と、係る図柄表示装置の裏面側に前記図柄表示装置と対向するように重ねて配設され、電源電圧又はコマンドを外部入力するために配線接続されるコネクタが縁部に配設されると共に、前記図柄表示装置に電気的接続をしてその制御を行う表示制御基板とが、保護ケース内に収容されてなる表示ユニットを有し、係る表示ユニットの着脱及び前記コネクタに対する配線接続を前記遊技盤の裏面側から行うように構成された遊技機であって、
前記保護ケースは、高さ方向の幅の異なる前記図柄表示装置及び前記表示制御基板が重ねあわされた外縁に沿って溝部が形成された形状をなし、前記溝部を、当該溝部の縁部に配設されたコネクタに接続される配線の収納スペースとしたことを特徴とする遊技機。
【請求項４】
前記表示制御基板は、前記コネクタを含み、複数種類の図柄表示装置で共通的に使用可能な共通回路部を備える共通回路基板と、係る共通回路基板に電気的に接続すると共に、各種種別の図柄表示装置に特有の制御をするための種類別回路部を備える種類別回路基板とから構成され、前記表示制御基板は、前記図柄表示装置の裏面側に前記共通回路基板及び前記種類別回路基板が積層配置されてなることを特徴とする請求項１〜３の何れかに記載の遊技機。
【発明の詳細な説明】
【技術分野】
【０００１】
本発明は、パチンコ機等の遊技機に関するものであり、特に、電源電圧又はコマンドを外部入力するためのコネクタに対する配線接続を前記遊技盤の裏面側から行うために、図柄表示装置と、その図柄表示装置に電気的接続をしてその制御を行う表示制御基板とが、保護ケース内に収容されて構成された表示ユニットを有する遊技機に関するものである。
【背景技術】
【０００２】
従来より、遊技機の一種であるパチンコ機においては、遊技動作を制御する遊技制御基板をメイン基板として設ける一方で、図柄変動ゲームを表示するための図柄表示装置を制御する表示制御基板と、音の発生動作を制御する音制御基板と、ランプの発光動作を制御するランプ制御基板等とを個々にサブ制御基板としてメイン基板とは別体に設けていた。
【０００３】
このような各種サブ制御基板は、保護ケースに収容されて、それぞれ遊技盤の裏面側に取り付けられるようになっている。これらのうち、表示制御基板は、図柄表示装置と一緒に保護ケース内に収容されることでユニット化され、こうして構成される表示ユニットが遊技盤の裏面側に取り付けられるようになっている（例えば、特許文献１及び特許文献２）。
【０００４】
【特許文献１】特開２００１−２９６１９号公報
【特許文献２】特開２００４−４９２８８号公報
【発明の開示】
【発明が解決しようとする課題】
【０００５】
しかしながら、近時のパチンコ機にあっては、表示すべき画像がより高度なものになってきている関係から、図柄表示装置及びその図柄表示装置の表示面の領域が拡大する傾向が顕著に現れてきている。その結果として、表示ユニットを大型化せざるを得ず、メイン基板と各種サブ制御基板との配線接続が集中する遊技盤の裏面側の配線収納スペースを圧迫して、コネクタ等による各基板間の接続作業を困難ならしめるおそれがあった。
【０００６】
本発明は、以上の問題点に鑑みてなされたものであって、その目的は、大型の図柄表示装置を採用したとしても、遊技盤の裏面側における配線収納スペースに余裕を持たせることができ当該図柄表示装置の周縁のコネクタ接続の作業性を低下させることがない遊技機を提供することにある。
【課題を解決するための手段】
【０００７】
上記課題を解決するための、請求項１記載の発明に係る遊技機は、遊技機に画成された遊技領域内にて図柄変動ゲームを演出表示するための表示面域を表面とする図柄表示装置と、係る図柄表示装置の裏面側に前記図柄表示装置と対向するように重ねて配設され、電源電圧又はコマンドを外部入力するために配線接続されるコネクタが縁部に配設されると共に、前記図柄表示装置に電気的接続をしてその制御を行う表示制御基板とが、保護ケース内に収容されてなる表示ユニットを有し、係る表示ユニットの着脱及び前記コネクタに対する配線接続を前記遊技盤の裏面側から行うように構成された遊技機であって、前記保護ケースは、前記図柄表示装置の一部と前記表示制御基板とが対向するように重ねて配設された第１の領域と、前記図柄表示装置の他の一部が収納される第２の領域とからなり、
前記第１の領域における保護ケースの奥行方向の幅を、前記第２の領域における保護ケースの奥行方向の幅に比べて大となして、前記第１の領域の縁部に配設されたコネクタに接続される配線の収納スペースを前記第２の領域における保護ケースに形成したことを特徴とする。
【０００８】
かかる構成とすることにより、表示制御基板が図柄表示装置に重ねあわされていない領域を構成して保護ケースの一部を薄型化し、配線収納スペースを確保したので、表示ユニットが大型化したとしても、遊技盤裏面側における配線収納スペースに余裕を持たせると共に、コネクタ接続の作業性を低下させることがない。なお、ここにいう「保護ケースの奥行方向の幅」とは、保護ケースの厚み、ずなわち、保護ケースにおける遊技機の前後方向の幅を指す。
【０００９】
上記課題を解決するための、請求項２記載の発明に係る遊技機は、遊技機に画成された遊技領域内にて図柄変動ゲームを演出表示するための表示面域を表面とする図柄表示装置と、係る図柄表示装置の裏面側に前記図柄表示装置と対向するように重ねて配設され、電源電圧又はコマンドを外部入力するために配線接続されるコネクタが縁部に配設されると共に、前記図柄表示装置に電気的接続をしてその制御を行う表示制御基板とが、保護ケース内に収容されてなる表示ユニットを有し、係る表示ユニットの着脱及び前記コネクタに対する配線接続を前記遊技盤の裏面側から行うように構成された遊技機であって、前記保護ケースは、前記図柄表示装置の一部を保護する図柄表示装置保護領域と、表示制御基板を保護し、前記図柄表示装置保護領域よりも高さ方向の幅が小さい表示制御基板保護領域とからなり、前記図柄表示装置保護領域及び前記表示制御基板保護領域の高さ方向の幅の差によって形成された領域を、前記表示制御基板保護領域の縁部に配設されたコネクタに接続される配線の収納スペースとしたことを特徴とする。
【００１０】
かかる構成とすることにより、図柄表示装置保護領域と、その図柄表示装置保護領域よりも高さ方向（遊技機の上下方向）の幅が小さい表示制御基板保護領域とが重ねあわされていない領域を配線収納スペースとして確保したので、表示ユニットが大型化したとしても、遊技盤裏面側における配線収納スペースに余裕を持たせると共に、コネクタ接続の作業性を低下させることがない。
【００１１】
上記課題を解決するための、請求項３記載の発明に係る遊技機は、遊技機に画成された遊技領域内にて図柄変動ゲームを演出表示するための表示面域を表面とする図柄表示装置と、係る図柄表示装置の裏面側に前記図柄表示装置と対向するように重ねて配設され、電源電圧又はコマンドを外部入力するために配線接続されるコネクタが縁部に配設されると共に、前記図柄表示装置に電気的接続をしてその制御を行う表示制御基板とが、保護ケース内に収容されてなる表示ユニットを有し、係る表示ユニットの着脱及び前記コネクタに対する配線接続を前記遊技盤の裏面側から行うように構成された遊技機であって、前記保護ケースは、高さ方向の幅の異なる前記図柄表示装置及び前記表示制御基板が重ねあわされた外縁に沿って溝部が形成された形状をなし、前記溝部を、当該溝部の縁部に配設されたコネクタに接続される配線の収納スペースとしたことを特徴とする。
【００１２】
かかる構成とすることにより、保護ケースの形状を方形状ではなく、高さ方向（遊技機の上下方向）の幅が異なる前記図柄表示装置及び前記表示制御基板が重ねあわされた外縁に沿って溝部が形成された形状とし、前記溝部を、当該溝部の縁部に配設されたコネクタに接続される配線の収納スペースとして確保したので、表示ユニットが大型化したとしても、遊技盤裏面側における配線収納スペースに余裕を持たせると共に、コネクタ接続の作業性を低下させることがない。
【００１３】
上記課題を解決するための、請求項４記載の発明に係る遊技機は、請求項１〜３の何れかに記載の遊技機において、前記表示制御基板は、前記コネクタを含み、複数種類の図柄表示装置で共通的に使用可能な共通回路部を備える共通回路基板と、係る共通回路基板に電気的に接続すると共に、各種種別の図柄表示装置に特有の制御をするための種類別回路部を備える種類別回路基板とから構成され、前記表示制御基板は、前記図柄表示装置の裏面側に前記共通回路基板及び前記種類別回路基板が積層配置されてなることを特徴とする。
【００１４】
かかる構成とすることにより、表示制御基板を複数（共通回路基板及び種類別回路基板）に分割した上で、それらの基板を積層配置したので、図柄表示装置の裏面側に対する表示制御基板の重畳面積を縮小化することができる。その結果として、配線収納スペースをさらに広く確保することができる。
【００１５】
また、種類別回路基板を交換すれば、他の図柄表示装置に対して共通回路基板を再利用することができるため、機種開発に要するコストを下げることができる。
【発明の効果】
【００１６】
以上説明したように、本発明によれば、高さ方向（遊技機の上下方向）の幅が異なる図柄表示装置と表示制御基板とが対向して収納された保護ケースの形状を、方形状ではなく、高さ方向（遊技機の上下方向）の幅の差を利用して配線収納スペースを備えた形状としたので、表示ユニットが大型化したとしても、遊技盤裏面側における配線収納スペースに余裕を持たせ、コネクタ接続の作業性の低下を防ぐことができる。
【発明を実施するための最良の形態】
【００１７】
次に、本発明に係る遊技機につき、好適な実施形態を挙げて、図面を参照しながら、以下詳細に説明する。なお、本実施形態では、遊技機として、パチンコ球を遊技媒体として使用する一般的なパチンコ機を例にして説明する。
【００１８】
図１は、本実施形態における遊技機の構成を示す正面図である。図１に示すように、遊技機１０において機体の外郭をなす外枠１１の開口前面側には、各種の遊技用構成部材をセットする縦長方形の中枠１２が開閉及び着脱自在に組み付けられている。また、中枠１２の前面側には、機内部に配置された遊技盤１３を透視保護するためのガラス枠を備えた前枠１４と上球皿１５が共に横開き状態で開閉可能に組付け整合されている。さらに、前記中枠１２の下部には下球皿１６、打球発射装置１７等が装着されている。
【００１９】
また、遊技盤１３の盤面には、略円形状に湾曲形成したレールにより囲まれた遊技領域の前面において、その遊技領域に打ち出された遊技球（図示せず）を案内する多数の遊技釘が配設されており、前記遊技領域の縦央やや下部には、遊技球をスイッチ（図示せず）で検出し得る始動入賞装置２２と、この始動入賞装置２２の直上方に配設されて遊技領域の略中央に位置し、図柄表示装置２１が後方から臨むセンター役物５０（図５参照）と、始動入賞装置２２の直下方に配置された大型電動式の可変入賞装置２３等が備えられている。
【００２０】
図柄表示装置２１は、図柄を変動させて図柄組合せゲームを表示する液晶画面、具体的には、複数列（例えば３列）の図柄を各列毎に表示する液晶画面を有している。また、可変入賞装置２３の下方には、アウト口２４が設けられており、遊技領域を流下しアウト球として、遊技機の裏側へ排出される遊技球が通過するようになっている。
【００２１】
センター役物５０は、前記遊技領域の左右幅方向の大部分を占め、その略中央位置に開設された表示領域を介して図柄表示装置２１が後方から臨むように構成され、当該センター役物５０を遊技盤１３に開設した装着孔（図示せず）に前側から挿入した状態で遊技盤１３にネジ止めされる。
【００２２】
なお、本実施形態における図柄組合せゲームでは、図柄表示装置２１の表示領域（前面側）に表示される、例えば３列の図柄が、同一図柄となる図柄組合せ態様で確定停止した状態が大当り状態とされる。なお、前記確定停止とは、前記表示領域において、各図柄が完全に停止した状態を示す。そしてこのとき、多数の遊技球を獲得できるチャンスが遊技者に付与される。また、前記表示領域に表示される図柄が３列で表示される場合、そのうち特定の２列の図柄が同一図柄となって表示された状態がリーチ状態とされる。また、例えば、全て異なる図柄となったりして、各図柄が同一図柄とならずに確定停止した状態がはずれ状態とされる。前記大当り状態が特別遊技状態に相当する。
【００２３】
そして、打球発射装置１７の操作により遊技盤１３の遊技領域に打ち出された遊技球を始動入賞装置２２内に配設された前記スイッチが検出するか、若しくは、始動保留球数の記憶値が１〜４である場合、図柄表示装置２１で前記図柄組合せゲームが行われるようになっている。
【００２４】
また、可変入賞装置２３は、扉状の開閉板が、後側の電磁ソレノイド（図示せず）に係る設定駆動条件に基づいて、通常の閉鎖状態から開放状態に変化し得るよう構成されて、前記図柄変動ゲームの結果、特別遊技が発生すると前記大当り状態として前記開閉板が開放して多数の遊技球を得る機会が付与されるようになっている。
【００２５】
一方、図２及び図３は、本実施形態における遊技機の裏側の構成を示す背面図である。図２及び図３に示すように、遊技機１０の裏側は、遊技機に配設される各種制御ユニットが、図示しない各種制御基板を透明樹脂製の保護ケース内にそれぞれ収容されてなり、保護ケースの外部から各種制御基板をそれぞれ視認し得るようになっている。
【００２６】
具体的には、メイン基板（図示せず）が透明樹脂製の保護ケース内に収容されてなるメイン基板ユニット３２と、図柄表示装置２１及び表示制御基板３１１１（図４参照）が透明樹脂製の保護ケース３１１０（図４参照）内に収容されてなる表示ユニット３１１を保護するリアパック（上）３１ａと、遊技盤１３（図１参照）の裏側に配設されたランプ中継基板３４（図５参照）を保護し、遊技機１０の裏面側表面にサブ統括基板が設置されたリアパック（下）３１ｂとが、遊技機１０の裏面側に上下に列設されている。
【００２７】
なお、メイン基板ユニット３２に収容される前記メイン基板は、遊技機で行う遊技内容を特定するものであって、遊技盤１３（図１参照）等を交換して遊技機の遊技内容を変更する所謂機種変更時には交換を要する専用基板である。
【００２８】
また、サブ統括制御基板は、メイン基板が出力した制御信号（制御コマンド）に基づき、表示制御基板、機内に設けられたスピーカ、及び遊技盤１３面や機枠に配設された各種遊技演出に供するランプ類を統括的に制御するためのプログラムや所要の電子部品を有してなるものである。表示制御基板は、メイン基板とサブ統括制御基板とが出力した制御信号（制御コマンド）に基づき、図柄表示装置２１の表示態様（図柄、背景、文字などの表示画像）を制御する。また、本実施形態において上述のランプ類は、遊技盤１３の裏側下部に配設された中継基板（ランプ中継基板３４）を介してサブ統括制御基板と電気的に接続し、そのサブ統括制御基板から出力される発光制御信号がランプ中継基板３４に中継されることにより、その発光態様（点灯（点滅）／消灯のタイミングなど）が制御されるようになっている。
【００２９】
なお、本実施形態では、サブ統括制御基板が、スピーカ及びランプ類の制御を直接行うように構成したが、スピーカ及びランプ類を各別に制御するための基板が別途設けられていてもよい。例えば、スピーカの制御を行うために音声制御基板を設け、ランプ類の制御行うためにランプ制御基板を設ける。この場合は、サブ統括制御基板が、メイン基板から出力された制御信号（制御コマンド）に基づいて、表示制御基板、ランプ制御基板及び音声制御基板を制御することになる。
【００３０】
また、以下の説明において、左・右とは、特に断りのない限り、図２及び図３に示すように遊技機１０の裏側から見た状態において指称するものとする。
【００３１】
図４は、本実施形態の表示ユニットの構成を示す図であり、図４（ａ）は遊技機１０の裏側から見た表示ユニットの透過正面図、図４（ｂ）は、表示ユニットの側面からみた透過側面図である。図４（ａ），（ｂ）に示すように、表示ユニット３１１の外形を形成している保護ケース３１１０の形状は、従来のように方形状ではなく、遊技機１０の裏側方向に一部（図中、第１の領域Ｓ１）が突出した形状となっている。この保護ケース３１１０は、収納対象となる図柄表示装置２１及び表示制御基板３１１１並びにそれらの間の配線を保護するための収納筐体である。以下の保護ケースについても、同様に収納対象及びその配線を保護する収納筐体として説明する。
【００３２】
ここで、本実施形態では、保護ケース３１１０に収納される表示制御基板３１１１が、その表示制御基板３１１１の（遊技機１０の）表側に重ね合わせて当該保護ケース３１１０に収納される図柄表示装置２１よりも高さ方向（遊技機の上下方向）の幅が小さくなるように製作されている。図柄表示装置２１と表示制御基板３１１１との重ねあわせは、具体的には、図示しない薄型の金属板上に表示制御基板３１１１がネジ止めされた上で、図柄表示装置２１の裏面に組み付けられることによって実現している。
【００３３】
従って、図４（ｂ）に示すように、保護ケース３１１０の側面形状は、当該保護ケース３１１０に収納される図柄表示装置２１の一部と表示制御基板３１１１とが重畳する高さ方向（遊技機１０の上下方向）の幅に応じた第１の領域Ｓ１と、表示制御基板３１１１とは重畳せず、図柄表示装置２１の他の一部の高さ方向の幅に応じた第２の領域Ｓ２とが形成され、第１の領域Ｓ１の高さ方向の幅よりも第２の領域Ｓ２の高さ方向の幅が小さいことによって形成された凹状空間が配線収納スペースＳ３として機能する。（図４（ｂ）では、第１の領域Ｓ１と第２の領域Ｓ２とをハッチングで区別して表示した。）この配線収納スペースＳ３が本請求項にいう溝部である。
【００３４】
なお、この配線収納スペースＳ３は、保護ケース３１１０の第１の領域Ｓ１の下端部に設けられ、表示制御基板３１１１に接続されたコネクタ３１１２（コマンド入力用コネクタ３１１２ａ及び遊技盤１３（図１参照）上の可動体を動作させるパルス送信用のコネクタ３１１２ｂ）から引き出される配線を主として、表示ユニット３１１の裏側の配線を収納する空間として機能する。
【００３５】
次に、このような表示ユニット３１１の遊技盤１３に対する設置態様について説明する。
図５は、本実施形態において遊技盤に対する表示ユニットの設置態様を示す側面図である。図５のように、図柄表示装置２１を遊技者が視認できるように、遊技盤１３の略中央にセンター役物５０が画成され、そのセンター役物５０の裏側には、表示ユニット３１１を遊技盤１３に設置された設置部材である裏桶３３に表示ユニット３１１が遊技者に視認可能に設置されている。
【００３６】
本図においても、表示ユニット３１１は、図柄表示装置２１と、その図柄表示装置２１の高さ方向（遊技機の上下方向）の幅よりも短い幅の表示制御基板３１１１とが重ねあわされて保護ケース３１１０に収納されてなる。そして、表示制御基板３１１１に接続されたコネクタ３１１２が第１の領域Ｓ１（図４（ｂ）参照）の下端部に露出するように設置されている。
【００３７】
一方、遊技盤１３の裏側において、保護ケース３１１０の下方には、遊技盤１３の表面側に設けられたランプ類の発光制御信号を中継するランプ中継基板３４が設置され、そのランプ中継基板３４を保護し、遊技機１０の裏面側表面にサブ統括基板ユニット３１２が設置されたリアパック（下）３１ｂが設置されている。
【００３８】
サブ統括基板ユニット３１２は、表示ユニット３１１と同様に、サブ統括制御基板３１２１を収納し、保護する保護ケース３１２０からなり、その保護ケース３１２０の上端部（表示ユニット３１１のコネクタ３１１２が設置される方向の端部）には、サブ統括制御基板３１２１に接続されたコネクタ３１２２が設置されている。
【００３９】
このように、本実施形態では、表示ユニット３１１に配線収納スペースＳ３を形成したので、遊技機１０の裏側では例えば、コネクタ３１１２とコネクタ３１２２とを結線する配線（ハーネス）を配線収納スペースＳ３に収納することができ、従来のように方形状とされた表示ユニット３１１（保護ケース３１１０）の周囲を前記配線（ハーネス）が迂回したり、交錯したりすることがないので、配線（ハーネス）を効率的に位置せしめ、メンテナンス時にも不用意に引っかかったりすることを防ぐことができる。
【００４０】
ここで、本実施形態の保護ケース３１１０の側面形状は、前述したように、図柄表示装置２１と表示制御基板３１１１とが重ねあわされている領域（第１の領域Ｓ１）と、その領域（第１の領域Ｓ１）の奥行方向（遊技機の前後方向）の幅よりも小さい幅で、図柄表示装置２１のみを収納する領域（第２の領域Ｓ２）とから構成された形状と定義したが、図６に示すように、保護ケース３１１０の側面形状は、当該保護ケース３１１０に収納される表示制御基板３１１１の高さ方向（遊技機の上下方向）の幅が、図柄表示装置２１の高さ方向の幅よりも相対的に小さい（例えば１／２）ことを前提として、図柄表示装置２１を収納する第３の領域Ｓ４（遊技機の前面側の領域）と、表示制御基板３１１１の大きさに応じて、その表示制御基板３１１１を収納する第４の領域Ｓ５（遊技機の背面側の領域）とから構成されると定義してもよい。上記何れの定義にしても、保護ケース３１１０に収納される表示制御基板３１１１の高さ方向（遊技機の上下方向）の幅が、図柄表示装置２１の高さ方向の幅よりも相対的に小さいことが前提であり、かつ、遊技機の前後方向に重ねあわされて配設された図柄表示装置２１と表示制御基板３１１１との外縁に沿うように保護ケース３１１０の側面形状が形成されれば、第４の領域Ｓ５の上方及び／又は下方に配線収納スペースＳ３が形成される。（図６では、第３の領域Ｓ４と第４の領域Ｓ５とをハッチングで区別して表示した。）第３の領域Ｓ４が本請求項にいう「図柄表示装置保護領域」であり、第４の領域Ｓ５が本請求項にいう「表示制御基板保護領域」である。
【００４１】
（他の実施形態）
次に、本発明に係る遊技機の他の実施形態について図面を参照して以下に説明する。本実施形態は、前述の実施形態のように、図柄表示装置２１を制御し、その図柄表示装置２１と共に保護ケース３１１０に収納される表示制御装置３１１１が、１つではなく、複数必要な場合を想定したものである。例えば、表示制御基板３１１１を、ＣＰＵ，ＲＯＭ，ＲＡＭなど、他の図柄表示装置にも共通に使用可能な電子部品を実装した共通回路基板や、表示ユニット３１１への信号線の数を変更する信号中継端子板や、昇圧回路たるインバータ基板などの図柄表示装置の種類によって必要となる回路基板に機能的に振り分ける場合に適用される。
【００４２】
図７は、本実施形態において、表示ユニットの側面からみた透過側面図である。図７に示すように、本実施形態の表示ユニット３１１の外形を形成している保護ケース３１１０の形状は、前述した実施形態と同様に、遊技機１０の裏側方向に一部（図中、第１の領域Ｓ１）が突出した形状となっている。
【００４３】
また、図７に示すように、保護ケース３１１０に収納される表示制御基板３１１１が、他の図柄表示装置にも共通に使用可能な電子部品を実装した共通回路基板３１１１ａと、表示ユニット３１１への信号線の数を変更する信号中継端子板３１１１ｃや、昇圧回路たるインバータ基板３１１１ｄからなる種類別回路基板３１１１ｂとから構成され、共通回路基板３１１１ａ及び種類別回路基板３１１１ｂは、図柄表示装置２１の裏側に順次重ねあわされるように配設されている。そして、共通回路基板３１１１ａ及び種類別回路基板３１１１ｂによって構成される表示制御基板３１１１の高さ方向（遊技機の上下方向）の幅は、それぞれ、同保護ケース３１１０に収納される図柄表示装置２１の高さ方向の幅よりも小さくなるように製作されている。
【００４４】
なお、本実施形態でも、図柄表示装置２１と表示制御基板３１１１との重ねあわせは、図示しない薄型の金属板上に表示制御基板３１１１がネジ止めされた上で、図柄表示装置２１の裏面に組み付けられることによって実現している。特に、表示制御基板３１１１を構成する共通回路基板３１１１ａ及び種類別回路基板３１１１ｂの積層配置も同様に、共通回路基板３１１１ａをネジ止めした薄型の金属板（図示せず）及び種類別回路基板３１１１ｂをネジ止めした薄型の金属板（図示せず）を相互に対向させて組み付けることによってなされている。
【００４５】
従って、図７に示すように、保護ケース３１１０の側面形状は、当該保護ケース３１１０に収納される図柄表示装置２１と、共通回路基板３１１１ａ及び種類別回路基板３１１１ｂによって構成される表示制御基板３１１１とが重畳する奥行方向（遊技機の前後方向）の幅に応じた第１の領域Ｓ１と、図柄表示装置２１のみの奥行方向の幅に応じた第２の領域Ｓ２とが形成され、第１の領域Ｓ１の奥行方向の幅よりも第２の領域Ｓ２の奥行方向の幅が小さいことによって形成された凹状空間が配線収納スペースＳ３として機能する。（本図でも、第１の領域Ｓ１と第２の領域Ｓ２とをハッチングで区別して表示した。）
【００４６】
なお、本実施形態も前述の実施形態と同様に、この配線収納スペースＳ３は、保護ケース３１１０の第１の領域Ｓ１の下端部に設けられ、共通回路基板３１１１ａに接続されたコネクタ３１１２から引き出される配線を主として、表示ユニット３１１の裏側の配線を収納する空間として機能する。
【００４７】
次に、このような表示ユニット３１１の遊技盤１３に対する設置態様について説明する。
図８は、本実施形態において遊技盤に対する表示ユニットの設置態様を示す側面図である。本実施形態は、図８に示すように、図柄表示装置２１を遊技者が視認できるように、遊技盤１３の略中央にセンター役物５０が画成され、そのセンター役物５０の裏側には、表示ユニット３１１を遊技盤１３に設置された設置部材である裏桶３３に表示ユニット３１１が遊技者に視認可能に設置されている。
【００４８】
本実施形態においても、表示ユニット３１１は、遊技機１０の前面側から、図柄表示装置２１と、種類別回路基板３１１１ｂを構成する、信号中継端子板３１１１ｃ及びインバータ基板３１１１ｄと、共通回路基板３１１１ａとが遊技機１０の裏側方向に順次重ねあわされるように上端部を揃えて配設され、保護ケース３１１０に収納されてなる。このようにすることで、表示制御基板３１１１を構成する各基板（共通回路基板３１１１ａ、信号中継端子板３１１１ｃ及びインバータ基板３１１１ｄ）の高さ方向（遊技機の上下方向）の幅が図柄表示装置２１の高さ方向の幅よりも小さいので、保護ケース３１１０の側面形状は、裏面側下端部に凹形状をなすことになる。そして、そして、当該下端部には、共通回路基板３１１１ａに接続されたコネクタ３１１２が設置される。
【００４９】
一方、遊技盤１３の裏側において、保護ケース３１１０の下方には、遊技盤１３の表面側に設けられたランプ類の発光制御行うランプ中継基板３４が設置され、そのランプ中継基板３４を保護し、遊技機１０の裏面側表面にサブ統括基板ユニット３１２が設置されたリアパック（下）３１ｂが設置されている。
【００５０】
サブ統括基板ユニット３１２は、表示ユニット３１１と同様に、サブ統括制御基板３１２１を収納し、保護する保護ケース３１２０からなり、その保護ケース３１２０の上端部（表示ユニット３１１のコネクタ３１１２が設置される方向の端部）には、サブ統括制御基板３１２１に接続されたコネクタ３１２２が設置されている。
【００５１】
このように、本実施形態では、表示ユニット３１１に配線収納スペースＳ３を形成したので、遊技機１０の裏側では例えば、コネクタ３１１２とコネクタ３１２２とを結線する配線（ハーネス）を配線収納スペースＳ３に収納することができ、従来のように方形状とされた表示ユニット３１１（保護ケース３１１０）の周囲を前記配線（ハーネス）が迂回したり、交錯したりすることがないので、配線（ハーネス）を効率的に位置せしめ、メンテナンス時にも作業者が不用意に配線（ハーネス）に引っかけたりする不具合を解消することができる。
【００５２】
また、表示ユニット３１１に配線収納スペースＳ３を形成したことにより、遊技盤１３の裏面に設けられたランプ中継基板３４と、そのランプ中継基板３４の背後に位置するコネクタ３１２２とを結線する場合に、その結線を行うための配線（ハーネス）の折り曲げ負荷を軽減すべく長尺とすることがある。仮にそのように配線を長尺としたとしても、配線収納スペースＳ３に、コネクタ間の接続を行うために折り曲げられた配線の膨出部分が収容されるので、配線の引き回し処理の効率が向上する。
【００５３】
また、表示制御基板３１１１を複数（共通回路基板３１１１ａ及び種類別回路基板３１１１ｂ）に分割した上で、それらの基板を積層配置したので、図柄表示装置２１の裏面側に対する表示制御基板３１１１の重畳面積を縮小化することができる。その結果として、配線収納スペースをさらに広く確保することができる。
【００５４】
また、種類別回路基板３１１１ｂを交換すれば、他の図柄表示装置に対して共通回路基板３１１１ａを再利用することができるため、機種開発に要するコストを下げることができる。
【００５５】
なお、本実施形態は、前述したように、表示制御装置３１１１が１つではなく、複数必要な場合を想定したものとして説明したが、そのような状況下でなくとも、表示制御基板３１１１を複数枚に分割して、それら各基板を図柄表示装置２１に重畳させてもよい。このようにすることで、図柄表示装置２１との高さ方向（遊技機の上下方向）の幅の差分が大きくなり、それによって保護ケース３１１０の側面形状は、図柄表示装置２１及び表示制御基板３１１１が重ねあわされた外縁に沿って形成された表示ユニット３１１における凹部、すなわち配線収納スペースＳ３が拡大された形状となり、より多くの配線を収納することができる。
【００５６】
特に、遊技機の表示ユニットは、今後、図柄表示装置が大型化され、表示制御基板などは小型化される傾向にあるので、それらの差分によって本発明の配線収納スペースＳ３が拡大され、配線収納を効率的に行うことができる。
【図面の簡単な説明】
【００５７】
【図１】本発明に係る遊技機の一実施形態における構成を示す正面図。
【図２】本発明に係る遊技機の一実施形態における構成を示す背面図。
【図３】本発明に係る遊技機の一実施形態における構成を示す背面図。
【図４】本発明に係る遊技機の一実施形態における表示ユニットの構成を示す図。
【図５】本発明に係る遊技機の一実施形態において遊技盤に対する表示ユニットの設置態様を示す側面図。
【図６】本発明に係る遊技機の一実施形態における表示ユニットの構成を示す図。
【図７】本発明に係る遊技機の他の実施形態における表示ユニットの構成を示す側面図。
【図８】本発明に係る遊技機の他の実施形態において遊技盤に対する表示ユニットの設置態様を示す側面図。
【符号の説明】
【００５８】
１０  遊技機
１１  外枠
１２  中枠
１３  遊技盤
１４  前枠
１５  上球皿
１６  下球皿
１７  打球発射装置
２１  図柄表示装置
２２  始動入賞装置（始動入賞口）
２３  可変入賞装置（大入賞口）
２４  アウト口
３１ａ  リアパック（上）
３１ｂ  リアパック（下）
３１１  表示ユニット
３１１０  保護ケース
３１１１  表示制御基板
３１１１ａ  共通回路基板
３１１１ｂ  種類別回路基板
３１１１ｃ  信号中継端子板
３１１１ｄ  インバータ基板
３１１２  コネクタ
３１２  サブ統括制御基板ユニット
３１２０  保護ケース
３１２１  サブ統括制御基板
３１２２  コネクタ
３２  メイン基板ユニット
３２１  コネクタ
３３  裏樋
３４  ランプ中継基板
５０  センター役物
Ｓ１  第１の領域
Ｓ２  第２の領域
Ｓ３  配線収納スペース
Ｓ４  第３の領域
Ｓ５  第４の領域
【図１】
2006192162.tif 000003
【図２】
2006192162.tif 000004
【図３】
2006192162.tif 000005
【図４】
2006192162.tif 000006
【図５】
2006192162.tif 000007
【図６】
2006192162.tif 000008
【図７】
2006192162.tif 000009
【図８】
2006192162.tif 000010